(57)【特許請求の範囲】
【請求項１】
内容物を収納する筒体と、この筒体に収納された内容物を保持して当該筒体の内側を進退可能な中皿と、この中皿を貫通する軸部を有して当該軸部の下端に設けられた摘み部の回転により前記中皿を昇降させる回転部材とを備える繰出し容器であって、
前記筒体の内周面には、その周方向に間隔を空けて複数の突起が設けられている一方、
前記回転部材は、その摘み部と共に回転可能な基部を備え、
この基部の外周縁には、当該基部の回転によって、筒体に設けた前記突起と重なり合って当該突起に引っ掛かる突起が設けられていると共に、
筒体側の前記突起と回転部材側の前記突起とのうち、少なくとも一方の突起を、当該突起が前記基部の回転によって、他方の突起を乗り越えられるようにし、
前記基部は、前記軸部と前記突起との間に、開口部を備え、
前記基部、前記軸部及び前記摘み部は一体成形され、前記摘み部は、前記開口部の下方に、型抜きを容易にするさらなる開口部を備える
ことを特徴とする、繰出し容器。
【請求項２】
請求項１において、前記基部は、矩形形状であって、当該矩形形状の長手方向端縁にそれぞれ、前記突起を備えることを特徴とする、繰出し容器。
【発明の詳細な説明】
【技術分野】
【０００１】
本発明は、口紅容器に代表されるように、摘み部の回転方向に応じて内容物を筒体から繰り出し又は引き戻すことができる、繰出し容器に関するものである。
【背景技術】
【０００２】
従来の繰出し容器としては、例えば、筒体に収納された中皿を、筒体の下側に配置した摘み部の回転方向に応じて昇降させることで、筒体に収納された固形の内容物を繰り出し又は引き戻すものがある（例えば、特許文献１参照）。
【先行技術文献】
【特許文献】
【０００３】
【特許文献１】実公平０２−３３６９７号公報
【発明の概要】
【発明が解決しようとする課題】
【０００４】
従来の繰出し容器によれば、内容物の繰出し又は引戻しは、摘み部の回転方向に応じてスムーズに行うことができる。
【０００５】
しかしながら、使用者によっては、摘み部を回転させて内容物を繰り出したとき、その繰出しの進捗状況が体感できることを望む場合があることも事実であるが、従来の繰出し容器では、こうした感覚的な要求に対応することができない。
【０００６】
また、こうした従来の繰出し容器は、摘み部を介しての回転運動を、内容物を保持する中皿部材を昇降させるための直線運動に変換するに過ぎないため、例えば、口紅容器のように、内容物を繰り出して唇等の塗布対象物に押し付けたことで、回転部材が逆回転してしまうと、中皿部材が内容物と共に落ち込んでしまう、いわゆる中皿の繰り下げ現象が生じることがある。
【０００７】
本発明の目的とするところは、内容物を繰り出して使用するとき、その繰り出された内容物の予期せぬ引戻しが生じることなく、内容物の繰出しの際及び引戻しの際に、その繰出し及び引戻しの進捗状況を体感することができる、新規な繰出し容器を提供することにある。
【課題を解決するための手段】
【０００８】
本発明は、内容物を収納する筒体と、この筒体に収納された内容物を保持して当該筒体の内側を進退可能な中皿と、この中皿を貫通する軸部を有して当該軸部の下端に設けられた摘み部の回転により前記中皿を昇降させる回転部材とを備える繰出し容器であって、
前記筒体の内周面には、その周方向に間隔を空けて複数の突起が設けられている一方、
前記回転部材は、その摘み部と共に回転可能な基部を備え、
この基部の外周縁には、当該基部の回転によって、筒体に設けた前記突起と重なり合って当該突起に引っ掛かる突起が設けられていると共に、
筒体側の前記突起と回転部材側の前記突起とのうち、少なくとも一方の突起を、当該突起が前記基部の回転によって、他方の突起を乗り越えられるようにし、
前記基部は、前記軸部と前記突起との間に、開口部を備え、
前記基部、前記軸部及び前記摘み部は一体成形され、前記摘み部は、前記開口部の下方に、型抜きを容易にするさらなる開口部を備えることを特徴とするものである。
【０００９】
本発明に従う突起は、基部の時計回り及び反時計回りの回転によって互いに乗り越え可能な形状であればよい。こうした突起としては、線対称な形状のものが挙げられる。この場合、例えば、２つの線対称な傾斜面を有するもの、半円形状のもの、線対称な鉛直面で構成される角形状のもの等、様々な形状のものを適用できる。
【００１０】
基部には、例えば、板状のものが挙げられ、その平面形状も、十字形状のものや、筒体と同心円形形状のもの等の、様々な形状のものを適用できる。また、前記基部を、矩形形状とし、当該矩形形状の長手方向端部にそれぞれ、前記突起を設けることができる。
【発明の効果】
【００１２】
本発明によれば、回転部材が時計回り又は反時計回りに回転しようとすると、回転部材に設けた突起が筒体に設けた突起と重なり合って当該突起に引っ掛かる。このため、内容物を繰り出して使用する際に、この内容物を対象物に押し付けたことで、回転部材が僅かに逆回転してしまうような場合でも、こうした逆回転を防ぐことができる。従って、本発明によれば、使用時に繰り出した内容物を対象物に押し付けたことによる、いわゆる中皿の繰り下げ現象を防止することができる。
【００１３】
加えて、本発明によれば、摘み部を操作して、この摘み部と共に基部が時計回り又は反時計回りに回転すると、この基部に設けた突起が筒体の内周面に設けた突起を乗り越える。即ち、摘み部を介して回転部材を回転させることで、この回転方向に応じて中皿を昇降させるという機能そのものは損なわれない。
【００１４】
更に、本発明によれば、基部に設けた突起が筒体の内周面に設けた突起を乗り越えることでクリック感が得られる。クリック感とは、例えば、回転部材側の突起が筒体側の突起を乗り越えたときの乗り越え感や、乗り越え時に発せられる音などをいう。
【００１５】
従って、内容物を繰り出して使用するとき、その繰り出された内容物の予期せぬ引戻しが生じることなく、内容物の繰出し及び引戻しの際に、その繰出し及び引戻しの進捗状況を体感することができる。
【００１６】
また、前記基部を、矩形形状とし、当該矩形形状の長手方向端部にそれぞれ、前記突起を設ければ、上述した作用効果を簡素な構成で実現できると共に、低コスト化が図れる。
【００１７】
更に、前記基部には、前記軸部と前記突起との間に、開口部を設けることで、この開口部周りでの変形及び復元を、材質的に実現させるだけでなく、機械的にも実現させることができる。これにより、基部に用いる材質に自由度を持たせることができるため、回転部材と基部とを同一の樹脂で一体に成形することができる等、適用範囲の拡大を図ることができる。
【図面の簡単な説明】
【００１８】
【図１】本発明の一形態である、口紅容器を一部断面で示す側面図である。
【図２】図１の要部を拡大して示す断面図である。
【図３】図１のＸ−Ｘ断面図である。
【図４】図１のＹ−Ｙ断面図である。
【発明を実施するための形態】
【００１９】
以下、図面を参照して、本発明の一形態である、口紅容器を詳細に説明する。
【００２０】
符号１は、固形の内容物たる口紅Ｌを収納する筒体である。筒体１の内周面には、図１や図３に示すように、軸線Ｏ周りに複数の縦リブ１ａが形成されている。また、筒体１の底部１ｂには、図２に示すように、後述の軸部４ａが貫通する開口部Ａが形成されている。
【００２１】
また、筒体１の下端内周面には、図４に示すように、軸線Ｏ周りに、その全周に亘って間隔を空けて複数の突起２が形成されている。突起２は、同図に示すように、軸線Ｏを通る径方向軸線ＲＯＲに対して傾斜した２つの斜面２ａを有する。斜面２ａは、直線状に径方向軸線ＲＯＲに対して線対称に傾斜し、その上端が互いに頂面２ｂを介して繋がる。これにより、突起２は、径方向軸線ＲＯＲに対して線対称な形状に形作られている。
【００２２】
符号３は、図１に示すように、筒体１に収納された口紅Ｌを保持して、この筒体１の内側を進退可能な中皿である。中皿３は、口紅Ｌを保持するための凹部３ａを有し、その外周縁には、図３に示すように、筒体１に設けた縦リブ１ａと摺動可能に嵌合する凹部３ｂが形成されている。これにより、中皿３は、筒体１の内側を縦リブ１ａに沿って昇降させることができる。
【００２３】
符号４は、図１等に示すように、中皿３を貫通する軸部４ａを有して、この軸部４ａの下端に固定された摘み部４ｂの回転により中皿３を昇降させる回転部材である。軸部４ａは、おねじ部４ｃを有し、このおねじ部４ｃが中皿３の中心に形成されためねじ孔３ｃにねじ付けられている。これにより、中皿３は、摘み部４ｂを介して回転部材４を回転させることにより、その回転方向に応じて筒体１内を昇降する。
【００２４】
また、軸部４ａは、図２に示すように、底部１ｂに形成された開口部Ａを形作る、複数の突起１ｃによって回転可能に保持されている。加えて、軸部４ａには、同図に示すように、摘み部４ｂとの連結部分に、図４に示すように、軸部４ａが一体に貫通して当該軸部４ａと共に回転可能なプレート部（基部）５が形成されている。
【００２５】
プレート部５は、図４からも明らかなように、軸部４ａから径方向軸線ＲＯＲに沿って延在し、互いに対向する長手方向端縁５ｅを有する矩形形状であって、互いに対向する２つの長手方向端縁５ｅにそれぞれ、突起６を一体に備える。突起６は、径方向軸線ＲＯＲに対して線対称な形状に形作られていると共に、その先端面６ａは、例えば、図４に示すように、半径ｒで構成された半円形状に形作られている。また、突起６は、プレート部５の回転によって、突起２と重なり合って当該突起２の傾斜面２ａに引っ掛かる。
【００２６】
これにより、突起６は、プレート部５が軸部４ａと共に軸線Ｏ周りに時計回り又は反時計回りに回転すると、突起２の傾斜面２ａと重なり合うことで、突起２の斜面２ａに接触するが、その先端面６ａは、プレート部５が軸部４ａと共に軸線Ｏ周りに時計回り又は反時計回りのいずれの方向に回転しても、斜面２ａに沿って頂面２ｂを乗り越えることができる。
【００２７】
また、本形態では、プレート部５のうち、図４等に示すように、軸部４ａと突起６との間には、開口部５ｃが形成されている。プレート部５に開口部５ｃを設ければ、本形態のように、開口部５ｃと同様の開口部４ｄを摘み部４ｂにも設けることで、軸部４ａ及び摘み部４ｂと共に、突起６を有するプレート部５を一体に金型成形する場合、型抜きが容易になる。
【００２８】
また、プレート部５に開口部５ｃを設けることで、軸部４ａと共に開口部５ｃを形作る、プレート部５の枠体部分５ｄは、プレート部５が比較的硬質な材料からなる場合であっても、開口部５ｃ周りでの変形及び復元させることができる。これにより、突起６は突起２を比較的容易に乗り越えることができる。
【００２９】
加えて、本形態によれば、回転部材４が軸線Ｏ周りを時計回り又は反時計回りに回転しようとすると、回転部材４に設けた突起６が筒体１に設けた突起２と重なり合って、この突起２に引っ掛かる。このため、口紅Ｌを繰り出して使用する際に、この口紅Ｌを唇等の塗布対象物に押し付けたことで、回転部材４が僅かに逆回転してしまうような場合でも、こうした逆回転を防ぐことができる。従って、本形態によれば、使用時に繰り出した口紅Ｌを唇等の塗布対象物に押し付けたことによる、いわゆる中皿３の繰り下げ現象を防止することができる。
【００３０】
加えて、本形態によれば、口紅Ｌの繰り出しや又は引き戻しを行うべく、摘み部４ｂを操作して、この摘み部４ｂを介してプレート部５が軸部４ａと共に軸線Ｏ周りに時計回り又は反時計回りに回転すると、このプレート部５に設けた突起６が筒体１の内周面に設けた突起２を乗り越える。即ち、摘み部４ｂを介して回転部材４を回転させることで、この回転方向に応じて中皿３を昇降させるという機能そのものは損なわれない。
【００３１】
更に、本形態によれば、プレート部４に設けた突起６が筒体１の内周面に設けた突起２を乗り越えることでクリック感が得られる。クリック感とは、例えば、回転部材４側の突起６が筒体１側の突起２を乗り越えたときの乗り越え感や、乗り越え時に発せられる音などをいい、本形態では、例えば、傾斜面２ａの径方向軸線ＲＯＲに対する傾斜角を大きくすれば、より大きなクリック感が得られる。
【００３２】
従って、本形態によれば、口紅Ｌを繰り出して使用するとき、その繰り出された口紅Ｌの予期せぬ引戻しが生じることなく、口紅Ｌの繰出し及び引戻しの際に、その繰出し及び引戻しの進捗状況を体感することができる。
【００３３】
また、本発明に従えば、プレート部５には、例えば、十字形状のものや、筒体１と同心円形形状のもの等の、様々な形状のものを適用できるが、本形態のように、プレート部５を、軸部４ａから径方向に沿って延在する矩形形状とし、互いに対向する２つの長手方向端部５ｅにそれぞれ、突起６を設ければ、上述した作用効果を簡素な構成で実現できると共に、低コスト化が図れる。
【００３４】
更に、本形態のように、プレート部５には、軸部４ａと突起６との間に、開口部５ｃを設けることで、軸部４ａと共に開口部５ｃを形作る、枠体部分５ｄが形成されている。これにより、プレート部５は、この開口部５ｃ周りでの変形及び復元を、材質的に実現させるだけでなく、機械的にも実現させることができる。これにより、プレート部５に用いる材質に自由度を持たせることができるため、回転部材４とプレート部５とを同一の樹脂で一体に成形することができる等、適用範囲の拡大を図ることができる。
【００３５】
上述したところは、本発明の一形態を示したに過ぎず、特許請求の範囲内において、種々の変更を加えることができる。例えば、本形態では、筒体１側の突起２と、回転部材４側の突起６との構成は、互いに置き換えることができる。また、本形態では、口紅Ｌを繰り出し又は引き戻す際の操作性を重視して、突起２及び突起６の構成として、斜面及び湾曲面を採用しているが、クリック感を重視して、突起２及び突起６の少なくとも一方を、２つの線対称な鉛直面を有する角形状のものとすることも可能である。
【産業上の利用可能性】
【００３７】
本発明は、口紅等の化粧料を固化させてなるものに限らず、例えば、薬剤や糊等を固化させてなるものも、内容物として適用することができる。
【符号の説明】
【００３８】
１    筒体
１ａ  中皿昇降用の案内縦リブ
１ｂ  底部
１ｃ  軸部保持用の突起
２    筒体側突起
２ａ  筒体側突起の傾斜面
２ｂ  筒体側突起の頂面
３    中皿
３ａ  口紅保持用の凹部
３ｂ  中皿昇降用の案内凹部
３ｃ  めねじ部
４    回転部材
４ａ  軸部
４ｂ  摘み部
４ｃ  おねじ部
４ｄ  開口部
５    プレート部（板状部）
５ｃ  開口部
５ｄ  プレート部の枠体部分
５ｅ  プレート部の長手方向端縁
６    プレート部に設けた突起（回転部材側突起）
６ａ  プレート部に設けた突起（回転部材側突起）の先端
【図１】
0005460216.tif 000002
【図２】
0005460216.tif 000003
【図３】
0005460216.tif 000004
【図４】
0005460216.tif 000005